(57)【要約】【課題】ドアで仕切られた２つの空間にイオンを放出することができるドアパネルを提供する。【解決手段】２つの空間３、４を仕切るドアパネル１０であって、パネル本体にはイオン発生装置２１が内装され、該パネル本体の空間３、４側の外側面１０ａには、イオン発生装置２１から発生したイオンを放出する放出口１２が設けられている。【選択図】図１
2014114667.tif 000002
【特許請求の範囲】
【請求項１】
２つの空間を仕切るドアパネルであって、
パネル本体にはイオン発生装置が内装され、該パネル本体の前記空間側の外側面には、前記イオン発生装置から発生したイオンを放出する放出口が設けられていることを特徴とするドアパネル。
【請求項２】
請求項１において、
前記放出口は、ドア開閉操作部に向けてイオンを放出する位置に設けられている、ドアパネル。
【請求項３】
請求項１または２において、
前記ドア開閉操作部を操作するごとに、イオンを発生させるように前記イオン発生装置を制御する制御部をさらに備えている、ドアパネル。
【発明の詳細な説明】
【技術分野】
【０００１】
本発明は、２つの空間を仕切るドアパネルに関する。
【背景技術】
【０００２】
近年、イオン発生装置を有した空気清浄機が普及している。また、この種の空気清浄機を天井に設置して、ダクトを通じて複数の部屋にイオンを送り込むシステムも提案されている（たとえば、特許文献１参照）。
【０００３】
このシステムによれば、そのイオンによって各部屋の空気中に浮遊する細菌や微細たんぱく質粒子を分解して無害化することができ、それを各部屋同時に行うことができる。また、マイナスイオンによるリラックス効果も期待できる。
【先行技術文献】
【特許文献】
【０００４】
【特許文献１】特開２００６−１０５４０８号公報
【発明の概要】
【発明が解決しようとする課題】
【０００５】
しかしながら、上記特許文献に記載されたシステムは天井や天井裏などにおいて大掛かりな工事を必要とするため、簡単かつ低コストで実施することはできない。
【０００６】
本発明は、このような事情を考慮して提案されたもので、簡単な構成により、ドアパネルで仕切られた２つの空間にイオンを放出することができるドアパネルを提供することにある。また、ドア開閉操作部（ドアノブ、レバーハンドルなど）や、その近傍など人の手が触れる部位をイオンの作用により清浄にできるようにすることを、さらなる目的としている。
【課題を解決するための手段】
【０００７】
上記目的を達成するために、本発明のドアパネルは、２つの空間を仕切るドアパネルであって、パネル本体にはイオン発生装置が内装され、該パネル本体の前記空間側の外側面には、イオン発生装置から発生したイオンを放出する放出口が設けられていることを特徴とする。
【０００８】
また、本発明において、放出口がドア開閉操作部に向けてイオンを放出する位置に設けられた構成としてもよい。
【０００９】
さらに、本発明において、ドア開閉操作部を操作するごとに、イオンを発生させるようにイオン発生装置を制御する制御部をさらに備えた構成としてもよい。
【発明の効果】
【００１０】
本発明のドアパネルによれば、上述の構成としているため、ドアで仕切られた２つの空間にイオンを放出することができる。また、ドアのドア開閉操作部や、その近傍など人の手が触れる部位をイオンの作用により清浄にすることができる。
【図面の簡単な説明】
【００１１】
【図１】本発明の一実施形態に係るドアパネルの要部説明図であって、（ａ）は図２（ｂ）におけるＡ−Ａ線概略断面図、（ｂ）図２（ｂ）におけるＢ−Ｂ線概略断面図である。
【図２】（ａ）は同ドアパネルの概略正面図、（ｂ）は同ドアパネルの回転側端部の部分平面図である。
【図３】ドアパネルに内装されたイオン発生機構の制御を司る要部を示す基本ブロック図である。
【発明を実施するための形態】
【００１２】
以下に、本発明の実施の形態について、添付図面にもとづいて説明する。
【００１３】
本実施形態のドアパネルは、図２（ａ）に示すように、壁２などに設けた開口部に取り付けたドア枠１内に設置され、一方の側端部１０ｂがドア枠１の一方の縦枠１ａとヒンジ結合された開き戸として構成されたドアパネル１０である。ドアパネル１０の外側面１０ａの外側には、そのドアパネル１０によって仕切られた２つの空間３、４が存在する（図２（ｂ）参照）。ドアパネル１０としてはたとえば、居間と居間との間の戸や、トイレの戸、物置の戸など種々の戸に適用できる。なお、開き戸のみならず、引戸にも適用が可能である。
【００１４】
このドアパネル１０の両空間３、４側のそれぞれの外側面１０ａの戸先側端部１０ｃの近傍には、高さ方向のほぼ中央位置にＬ字状のレバーハンドル１８、１８が設けられている。このレバーハンドル１８を矢印方向（図２（ａ）参照）に回動操作することにより、ラッチ（不図示）を出没させるようになっている。その回動操作をしたのち、ドアパネル１０の押し操作または引き操作によってドアが開閉する。回動操作ののちレバーハンドル１８から手を離すと、レバーハンドル１８は内装されたばね（不図示）により床に対して平行な状態に復帰する。
【００１５】
また、外側面１０ａの、レバーハンドル１８を設けた部位のやや下方部位には開口が設けられている。この開口は、後述するイオン発生機構２０によって発生するイオンの放出口１２を構成している。
【００１６】
このドアパネル１０のパネル本体の外側面１０ａの両化粧板（不図示）間の空間には、イオンを発生させるイオン発生機構２０が内装されている。イオン発生機構２０としては、図２（ａ）、図３に示すように、イオン発生装置２１、電源部２２、イオンの発生を制御する制御部２３、タイマー２４、センサーなどで構成された操作検知部２５、端子部２６などが含まれる。
【００１７】
イオン発生装置２１としては、公知の種々のイオン発生装置が用いられる。本イオン発生装置２１は、イオンを発生するイオン化針２１ａ（放電電極）と、高圧発生回路２１ｂと、電位保持部２１ｃとを少なくとも備えている。電源部２２から電源供給を受けた高圧発生回路２１ｂでイオン化針２１ａにマイナスまたはプラスの高電圧を印加して、電位保持部２１ｃでマイナス電圧またはプラス電圧を発生するように構成することで、マイナスまたはプラスの電荷をもつイオンが発生する。
【００１８】
電源部２２は、充電式電源部であり、ドアパネル１０の回動軸側の縦枠１ａと壁２とに設けた、商用電源と接続された供給側端子部２９から、非接触で端子部２６を介して電源の供給を受けて充電される構成となっている。たとえば、ドアパネル１０の閉止時に電源を供給できる構成としてもよい。
【００１９】
このイオン発生装置２１は、図２（ａ）、（ｂ）に示すように、イオンを放出する構造として形成された、ドアパネル１０のイオン発生部１１に設けられている。このイオン発生部１１は、後述するように、イオン発生装置２１を組み込んだユニットとして構成してもよい。
【００２０】
このイオン発生部１１は、図２（ｂ）におけるＡ−Ａ線の概略断面図（図１（ａ）参照）に示すように、Ｙ字形状の流動路１４を含んで構成されている。この流動路１４のほぼ中央にイオン化針２１ａが配設され、その下方にモーター回転式のファン１５（送風手段）が配設されている。この流動路１４の空間のうち、イオン化針１５を設けた中央部１４ｃより両外側面１０ａ、１０ａの外方へと通じる空間は、イオン化針１５より発生するイオンの放出路１４ａ、１４ａとして構成される。この放出路１４ａ、１４ａは、図１（ａ）に示すように、中央部１４ｃから斜め上方に向けて形成され、両放出口１２、１２へと通じ、その延長線上にレバーハンドル１８、１８が設けられている。
【００２１】
なお、ファン１５はイオン発生装置２０の動作に連動するように構成すればよい。送風手段としては、ファン１５の代わりに、振動膜式の送風ユニットなどの種々の送風手段を用いてもよい。
【００２２】
また、図２（ｂ）におけるＡ−Ａ線の概略断面図（図１（ａ））に示すように、ドアパネル１０の戸先側端面１０ｄには、吸気口１３が設けられている。この吸気口１３は吸気路１４ｂを介してファン１５へと通じている。
【００２３】
このようなイオン発生部１１の構成により、イオン発生装置２１により発生したイオンは、吸気口１３およびファン１５の作用によって放出路１４ａ、１４ａへと流れ、放出口１２、１２より放出される。そして、放出されたイオンは、レバーハンドル１８、１８へと向かう（図１（ａ）中の矢印参照）。
【００２４】
こうしたイオンの発生により、特にプラスイオンを発生させる構成とすることによれば、レバーハンドル１８、１８の除菌がなされる。また、イオン発生装置２１およびイオン発生部１１の構成によれば、ドアパネル１０で仕切られた両空間３、４にイオンを放出でき、特にマイナスイオンを発生させる構成とすることにより、両空間３、４内の居住者に対してリラックス効果を発揮することができる。しかも、イオンは両空間３、４へ同時に発生する構成であるため、同時に、両レバーハンドル１８、１８に対して、または両空間３、４に対して、上記効果を発揮することができる。
【００２５】
また、ドアパネル１０内にイオン発生機構２０およびイオン発生部１１を設けた構成であるため、長い流動路を形成しなくてもイオンの放出を可能とすることができる。また、流動路が短いため少ない風量でイオンを分散、放出でき、その結果、イオンによる清浄化システムを低コストで実現することができる。
【００２６】
このようなイオン発生装置２１は、イオンの発生の開始／停止がイオン発生機構２０の制御部２３によって制御されるようになっている。
【００２７】
本実施形態では、制御部２３が、レバーハンドル１８を操作するごとにイオン発生装置２１を動作させるようになっている。
【００２８】
イオンの発生を開始するタイミングとしては、レバーハンドル１８の回転操作のタイミングとすればよい。具体的にはたとえば、レバーハンドル１８が所定の角度回転したときにリミットスイッチで構成された操作検知部２５がレバーハンドル１８の操作を検知して、イオン発生装置２１を動作させるようにしてもよい。また、レバーハンドル１８に人感センサーよりなる操作検知部２５を組み込んでおき、レバーハンドル１８を握った時にイオン発生装置２１を動作させるようにしてもよい。
【００２９】
さらに、ドアパネル１０の回動開始タイミングでイオンの発生を開始するようにしてもよいし、回動したのちドアパネル１０が閉止したタイミングでイオンの発生を開始するようにしてもよい。
【００３０】
イオン発生の停止については、イオンの発生開始からタイマーで所定時間（たとえば１０秒間程度）を計測したのちに、イオンの発生を停止するようにすればよい。さらにたとえば、ドアの閉操作でイオンの発生を開始し、ドアが閉じた時にイオンの発生を停止するようにしてもよい。また、ドアの開操作でイオンの発生を開始し、ドアが開いた状態で停止した時にイオンの発生を停止するようにしてもよい。
【００３１】
さらに、レバーハンドル１８を握った手に直接イオンが当たらないようにするために、レバーハンドル１８から手を離したことを検知して、そのタイミングでイオンを発生させ、その所定時間経過後に停止するようにしてもよい。たとえば、レバーハンドル１８の復帰用のばねが動作したタイミングでイオンを発生させるようにしてもよい。
【００３２】
以上のように、レバーハンドル１８の操作をトリガーとして種々のタイミングで、種々の時間間隔で、イオン発生装置２１およびファン１５を駆動してイオンを発生させるようにすればよい。
【００３３】
また、上述したように、イオン発生可能なドアパネル１０は引戸にも適用できる。その場合には、ドアパネル１０の取っ手（ドア開閉操作部）への接触をトリガーとして種々のタイミングで、種々の時間間隔で、イオン発生装置２１およびファン１５を駆動してイオンを発生させるようにすればよい。
【００３４】
このように、レバーハンドル１８を操作するごとにイオンを発生させる構成としているため、人がレバーハンドル１８を操作した直後にレバーハンドル１８をイオンにより清浄な状態とすることができる。また、放出口１２の位置を種々異ならせることで、人の手が触れそうな部位に向けてイオンを放出することもできる。
【００３５】
また、両空間３、４のそれぞれに人感センサーを設置し、人を検知したときにイオンを発生させるようにしてもよい。またさらに、間欠的にイオンを発生させる構成としてもよい。
【００３６】
また、イオン発生装置２１をプラスイオン、マイナスイオンの両方を発生できる構成とし、それらを交互に発生するようにしてもよいし、種々の条件にもとづいていずれか一方あるいは両方を発生するようにしてもよい。
【００３７】
以上では、放出口１２、１２をドアパネル１０の両外側面１０ａ、１０ａの対称位置に設けたものを示したが、非対称位置に設けた構成としてもよいし、一方のみに設けた構成としてもよい。
【００３８】
さらにまた、種々の部材や制御部２３の制御により、両放出口１２、１２のうちの一方のみよりイオンを放出できる構成としてもよい。たとえば、放出路１４ａ、１４ａの一方または放出口１２、１２の一方を塞ぐことができるようにすればよい。またたとえば、操作された一方のレバーハンドル１８側のみにイオンを放出する場合には、操作されたレバーハンドル１８側の放出路１４ａ、放出口１２を生かす（他方の放出路１４ａ、放出口１２を遮断する）ように、制御部２３で制御するようにしてもよい。
【００３９】
また、以上の実施形態ではドア開閉操作部としてＬ字状のレバーハンドル１８、１８を採用したが、上記イオン発生機構２０は、その他種々の形状の取っ手を用いたドアパネル１０にも適用できる。たとえば円柱状のドアノブを用いる場合、それに応じて、放出口１２の位置や流動路１４の形状、向きなどを異ならせるようにすればよい。
【００４０】
また、イオン発生部１１（図２参照）は、外側面１０ａ、１０ａに露出される部位（図２（ａ）中、破線で囲まれた部位）を含んでユニットとして組み込める構成としてもよい。その場合、イオン発生装置２１を内装した外側面を含む外郭を透明樹脂で形成してもよい。そうすることでイオン発生装置２１を可視化でき、故障を早期発見できる。また、トイレなどのドアパネル１０にそのようなイオン発生部１１を設ければ、明かり取りとして利用することもできる。
【符号の説明】
【００４１】
３、４    空間
１０      ドアパネル
１０ａ    外側面
１２      放出口
１８      レバーハンドル（ドア開閉操作部）
２１      イオン発生装置
２３      制御部
【図１】
2014114667.tif 000003
【図２】
2014114667.tif 000004
【図３】
2014114667.tif 000005